(57)【特許請求の範囲】
【請求項１】
発電プラントにおける大気汚染物質の状態や発電出力等の機器の状態である管理項目の波形が時間軸方向に連続して記録された運転記録シートを確認するための確認用スケール機器であって、管理項目の波形に対応した目盛が表記されたスケールを有し、
運転記録シートには管理項目が並列状態で連続的に複数記録され、管理項目の数に応じた数のスケールを備え、スケールには管理項目名が表記され、複数のスケールの一端が円環状の連結部材にそれぞれ支持されている
ことを特徴とする運転記録シートの確認用スケール機器。
【請求項２】
請求項１に記載の運転記録シートの確認用スケール機器において、
スケールには管理項目の規制限界値が表記されている
ことを特徴とする運転記録シートの確認用スケール機器。
【請求項３】
請求項１もしくは請求項２に記載の運転記録シートの確認用スケール機器において、
スケールは矩形状とされると共に少なくとも目盛の表記部位が透明である
ことを特徴とする運転記録シートの確認用スケール機器。
【請求項４】
請求項１から請求項３のいずれか一項に記載の運転記録シートの確認用スケール機器において、
スケールで確認する管理項目は、
ボイラ内の節炭器の出口酸素濃度、復水器の取水・排水海水温度、発電出力、排気ガス浄化処理・排出系におけるＣＯ濃度、ＮＯｘ濃度、ＮＯｘ量、ＳＯｘ濃度、ＳＯｘ量、硫黄分の少なくとも一つを含む
ことを特徴とする運転記録シートの確認用スケール機器。
【発明の詳細な説明】
【技術分野】
【０００１】
本発明は、例えば、発電プラントにおける運転記録シートを確認するための確認用スケール機器に関する。
【背景技術】
【０００２】
発電プラントでは、ボイラで発生する大気汚染物質（ＮＯｘ、ＳＯｘ等）等の環境負荷物質を所望の値に管理するため、プラントの出力や流体温度・圧力等を制御することが従来から実施されている（例えば、下記特許文献１参照）。ボイラからの排煙に含まれる大気汚染物質の状態や発電出力等の機器の状態は、運転記録として記録・管理されている。運転記録は、例えば、発電プラントの近隣の市町村への日常報告等に使用されている。
【０００３】
運転記録の管理項目としては、一般的な火力発電システムの場合、例えば、ボイラ内の節炭器の出口酸素濃度、復水器の出入り口海水温度（取水・排水海水温度）、発電出力や、排気ガス浄化処理・排出系におけるＣＯ濃度、ＮＯｘ濃度・量、ＳＯｘ濃度・量、硫黄分等が挙げられる。これらの運転記録の変化状態は、時間軸を共通にした記録シートに各項目の値が並列状態で連続的に波線状に記録されている。
【０００４】
各項目の単位目盛は、複数の項目で幅方向に対して同位置に備えられている。このため、運転記録の特定の項目を確認する場合、任意の時間における各項目の波線と該当項目の目盛を合致させることで、各種の運転記録の経時変化を確認して許容変化範囲に対する状況を確認することが可能になっている。
【０００５】
運転記録の特定の項目を確認する場合、時間軸を共通にした記録シートに複数の項目が並列状態で記録されているので、変化状態の絶対量は瞬時に確認できるものの、許容変化範囲に対する変化の絶対量は項目毎に異なるので、任意の時間における各項目の波線と該当項目の目盛を合致させる作業が必要になる。
【０００６】
このため、確認を要する時刻で、項目の波形と目盛が離れていた場合、確認に時間と労力を要する結果になってしまい、数値を見誤る虞があった。運転記録は、環境管理に関わる重要な項目が含まれていることから、緊急時には瞬時に項目の確認を正確に行う必要があるのが現状である。
【先行技術文献】
【特許文献】
【０００７】
【特許文献１】特開２００９−２２２３３２号公報
【発明の概要】
【発明が解決しようとする課題】
【０００８】
本発明は上記状況に鑑みてなされたもので、時間軸に対して運転記録の項目である管理項目が連続して記録された運転記録シートにおいて、任意の時間における管理項目の状況を短時間で正確に把握することができる運転記録シートの確認用スケール機器を提供することを目的とする。
【課題を解決するための手段】
【０００９】
上記目的を達成するための請求項１に係る本発明の運転記録シートの確認用スケール機器は、発電プラントにおける大気汚染物質の状態や発電出力等の機器の状態である管理項目の波形が時間軸方向に連続して記録された運転記録シートを確認するための確認用スケール機器であって、管理項目の波形に対応した目盛が表記されたスケールを有し、運転記録シートには管理項目が並列状態で連続的に複数記録され、管理項目の数に応じた数のスケールを備え、スケールには管理項目名が表記され、複数のスケールの一端が円環状の連結部材にそれぞれ支持されていることを特徴とする。
【００１０】
請求項１に係る本発明では、管理項目の波形に対応したスケールを運転記録シートの所望の時間軸の部位にあてがうことで、任意の時間における管理項目の状況を短時間で正確に把握することが可能になる。
そして、複数の管理項目を有する運転記録シートに対し、連結部材に支持された複数のスケールから目的の管理項目の目盛が表記されたスケールを選択してあてがうことで、任意の時間における複数の管理項目のうちの必要な管理項目の状況を短時間で正確に把握することが可能になる。
【００１３】
また、請求項２に係る本発明の運転記録シートの確認用スケール機器は、請求項１に記載の運転記録シートの確認用スケール機器において、スケールには管理項目の規制限界値が表記されていることを特徴とする。
【００１４】
請求項２に係る本発明では、管理項目の状況に合わせて規制限界に対する状況を確認することができる。
【００１５】
また、請求項３に係る本発明の運転記録シートの確認用スケール機器は、請求項１もしくは請求項２に記載の運転記録シートの確認用スケール機器において、スケールは矩形状とされると共に少なくとも目盛の表記部位が透明であることを特徴とする。
【００１６】
請求項３に係る本発明では、運転記録シートの幅方向にスケールをあてがうことで、目盛の表記部に管理項目の波形を重ねて確認することができる。
【００１７】
また、請求項４に係る本発明の運転記録シートの確認用スケール機器は、請求項１から請求項３のいずれか一項に記載の運転記録シートの確認用スケール機器において、スケールで確認する管理項目は、ボイラ内の節炭器の出口酸素濃度、復水器の取水・排水海水温度、発電出力、排気ガス浄化処理・排出系におけるＣＯ濃度、ＮＯｘ濃度、ＮＯｘ量、ＳＯｘ濃度、ＳＯｘ量、硫黄分の少なくとも一つを含むことを特徴とする。
【００１８】
請求項４に係る本発明では、発電プラントにおける機器の管理項目、環境の管理項目の状況を短時間で正確に把握することができる。
【発明の効果】
【００１９】
本発明の運転記録シートの確認用スケール機器は、時間軸に対して運転記録の項目である管理項目が連続して記録された運転記録シートにおいて、任意の時刻における管理項目の状況を短時間で正確に把握することが可能になる。
【図面の簡単な説明】
【００２０】
【図１】本発明の一実施例に係る確認用スケール機器で管理項目が確認される運転記録シートの出力状態を表す概念図である。
【図２】運転記録シートの詳細図である。
【図３】本発明の一実施例に係る確認用スケール機器の外観図である。
【図４】スケールの説明図である。
【図５】確認用スケール機器の使用状態の説明図である。
【発明を実施するための形態】
【００２１】
発電プラントである、例えば、火力発電プラントでは、ボイラで発生させた蒸気により蒸気タービンを駆動して電力を得ている。蒸気タービンで仕事を終えた排気蒸気は復水器で復水されてボイラに給水され、ボイラで過熱されることで蒸気が発生される。復水器には海水が取り入れられて排気蒸気を凝縮し、凝縮された給水は、ボイラの加熱器や節炭器、過熱器等に送られて蒸気とされる。ボイラの排気ガスは排気浄化処理（脱硫、脱硝等）されて煙突から大気に放出される。
【００２２】
発電プラントでは、運転記録を管理するため、例えば、ボイラ内の節炭器の出口酸素濃度（脱気の状況）、復水器の出入り口海水温度（取水・排水海水温度の状況）、発電出力等が機器の管理項目として運転記録シートに記録されている。また、ＣＯ濃度、ＮＯｘ濃度・量、ＳＯｘ濃度・量、硫黄分等が排気ガス浄化処理・排出系の管理項目として運転記録シートに記録されている。運転記録シートには、時間軸を共通にして各管理項目の値が並列状態で連続的に波線状に記録されている。
【００２３】
図１から図５に基づいて本発明の実施例を具体的に説明する。
【００２４】
図１には本発明の一実施例に係る確認用スケール機器で管理項目が確認される運転記録シートの出力状態を表す概念、図２には運転記録シートの詳細、図３には本発明の一実施例に係る確認用スケール機器の外観、図４にはスケールの説明、図５（ａ）から図５（ｄ）には確認用スケール機器の使用状態の説明を示してある。
【００２５】
図１に示すように、例えば、ボイラ内の節炭器の出口のＯ２濃度値、取水口・排水口の海水温度値、発電出力値、煙突入口のＮＯｘ濃度値、Ｏ２濃度値、ＳＯｘ濃度値、大気に排出されるＮＯｘ量の値、ＳＯｘ量の値、硫黄分割合の値等である管理情報が記録手段１に入力される。記録手段１では、時間軸を共通にした帯状の長尺シートに、入力された値が記録されて運転記録シート２とされる。各記録の情報（管理項目）は並列状態で連続的に波線状に記録されている。
【００２６】
図２に示すように、管理項目の値の波線（管理項目線）Ａ、Ｂ、Ｃ、Ｄ・・・は、時間軸の時刻Ｘ１、Ｘ２、Ｘ３、Ｘ４・・・を共通にして、並列状態で連続的に波線状に運転記録シート２に記録されている。運転記録シート２には、管理項目線Ａ、Ｂの目盛３、管理項目線Ｃ、Ｄの目盛４が時間軸の時刻Ｘ１、Ｘ２、Ｘ３、Ｘ４・・・の間隔で表示されている。
【００２７】
図には、説明の便宜上、管理項目線Ａ、Ｂ、Ｃ、Ｄに対し、管理項目線Ａ、Ｂの目盛３、管理項目線Ｃ、Ｄの目盛４が交互に繰り返された状態を示してあるが、実際には管理項目線が多数存在するため、運転記録シート２の幅方向の管理項目の適宜組（場合によっては１つ）に対して目盛が表示され、時間軸の時刻Ｘ１、Ｘ２、Ｘ３、Ｘ４・・・方向に繰り返されて表示されている。
【００２８】
例えば、時間軸の時刻Ｘ１で管理項目線Ｄの値を確認する場合、時刻Ｘ１の時点の管理項目線Ｄの箇所を時刻Ｘ２に表示された目盛４の位置に交差させて管理項目線Ｄの値を確認する。同様に、時間軸の時刻Ｘ４で管理項目線Ａの値を確認する場合、時刻Ｘ４の時点の管理項目線Ａの箇所を時刻Ｘ３に表示された目盛３の位置に交差させて管理項目線Ａの値を確認する。
【００２９】
このように、所望の時刻に確認したい管理項目線の目盛が存在しない場合、異なる時刻に表示された目盛に管理項目線の所望位置を合わせる必要がある。この状態では、任意の時刻における管理項目の値を短時間で正確に把握することが困難である。
【００３０】
このため、管理項目線Ａ、Ｂ、Ｃ、Ｄ・・・に対応した（波形に対応した）目盛が表記されたスケールを有する確認用スケール機器が用いられる。
【００３１】
図３、図４に基づいて運転記録シートの確認用スケール機器を説明する。
【００３２】
図３には確認用スケール機器の外観、図４（ａ）には管理項目線Ａの確認に用いるスケール、図４（ｂ）には管理項目線Ｂの確認に用いるスケール、図４（ｃ）には管理項目線Ｃの確認に用いるスケール、図４（ｄ）には管理項目線Ｄの確認に用いるスケールを示してある。
【００３３】
図３に示すように、管理項目の数に応じた数（図には４枚示してある）の透明で矩形状のスケール１１Ａ、１１Ｂ、１１Ｃ、１１Ｄを備え、スケール１１Ａ、１１Ｂ、１１Ｃ、１１Ｄの一端が円環状の連結部材１２にそれぞれ支持されて確認用スケール機器１３とされている。尚、図示例では確認用スケール機器１３は４枚のスケール１１を備えたものを示してあるが、管理項目線に応じた数のスケール１１が備えられる。
【００３４】
図３、図４に示すように、確認用スケール機器１３のスケール１１Ａ、１１Ｂ、１１Ｃ、１１Ｄには、該当する管理項目線Ａ、Ｂ、Ｃ、Ｄに対応した管理項目名ＡＸ、ＢＸ、ＣＸ、ＤＸが表記されている。そして、図４に示すように、スケール１１Ａ、１１Ｂ、１１Ｃ、１１Ｄには、該当する管理項目線Ａ、Ｂ、Ｃ、Ｄの値を読むための目盛１４Ａ、１４Ｂ、１４Ｃ、１４Ｄが表記されている。
【００３５】
スケール１１Ａの目盛１４Ａ及びスケール１１Ｂの目盛１４Ｂは、図２に示した目盛３をそれぞれ分けて表記したもので、スケール１１Ｃの目盛１４Ｃ及びスケール１１Ｄの目盛１４Ｄは、図２に示した目盛４をそれぞれ分けて表記したものである。
【００３６】
例えば、スケール１１Ａの目盛１４Ａは半分の部位に設けられた大きな間隔の目盛であり、スケール１１Ｂの目盛１４Ｂは３割程度の部位に設けられた中程度の間隔の目盛である。また、スケール１１Ｃの目盛１４Ｃは半分の部位に設けられた小さな間隔の目盛であり、スケール１１Ｄの目盛１４Ｄは中央部位に設けられた中程度の間隔の目盛である。
【００３７】
そして、スケール１１Ａには値の上限となる規制限界値が規制線１５Ａとして異色で表記され、スケール１１Ｂには値の上限となる規制限界値が規制線１５Ｂとして異色で表記され、スケール１１Ｃには値の上限となる規制限界値が規制線１５Ｃとして異色で表記されている。更に、スケール１１Ｄには値の許容範囲となる許容限界値が２本の許容線１５Ｄとして異色で表記されている。
【００３８】
尚、各スケール１１の目盛１４及び規制線、許容線１５をそれぞれ異なる色で表記することも可能であり、この場合、管理項目名の表記に代えることも可能である。
【００３９】
図５に基づいて上述した確認用スケール機器１３を用いて運転記録シート２の確認を行う状況を説明する。
【００４０】
図５（ａ）には時刻Ｘ１における管理項目線Ａの確認を行っている状況、図５（ｂ）には時刻Ｘ１における管理項目線Ｂの確認を行っている状況、図５（ｃ）には時刻Ｘ１における管理項目線Ｃの確認を行っている状況、図５（ｄ）には時刻Ｘ１における管理項目線Ｄの確認を行っている状況を示してある。
【００４１】
図５（ａ）に示すように、時刻Ｘ１における管理項目線Ａの確認を行う場合、管理項目名ＡＸを認識して確認用スケール機器１３のスケール１１Ａを選択し、スケール１１Ａを時刻Ｘ１における管理項目線Ａにあてがう。これにより、瞬時に時刻Ｘ１における管理項目線Ａの値を読み取ることができる。また、規制線１５Ａを見ることにより、時刻Ｘ１における管理項目線Ａの値が規制範囲か否かを判断することができる。
【００４２】
図５（ｂ）に示すように、時刻Ｘ１における管理項目線Ｂの確認を行う場合、管理項目名ＢＸを認識して確認用スケール機器１３のスケール１１Ｂを選択し、スケール１１Ｂを時刻Ｘ１における管理項目線Ｂにあてがう。これにより、瞬時に時刻Ｘ１における管理項目線Ｂの値を読み取ることができる。また、規制線１５Ｂを見ることにより、時刻Ｘ１における管理項目線Ｂの値が規制範囲か否かを判断することができる。
【００４３】
図５（ｃ）に示すように、時刻Ｘ１における管理項目線Ｃの確認を行う場合、管理項目名ＣＸを認識して確認用スケール機器１３のスケール１１Ｃを選択し、スケール１１Ｃを時刻Ｘ１における管理項目線Ｃにあてがう。これにより、瞬時に時刻Ｘ１における管理項目線Ｃの値を読み取ることができる。また、規制線１５Ｃを見ることにより、時刻Ｘ１における管理項目線Ｃの値が規制範囲か否かを判断することができる。
【００４４】
図５（ｄ）に示すように、時刻Ｘ１における管理項目線Ｄの確認を行う場合、管理項目名ＤＸを認識して確認用スケール機器１３のスケール１１Ｄを選択し、スケール１１Ｄを時刻Ｘ１における管理項目線Ｄにあてがう。これにより、瞬時に時刻Ｘ１における管理項目線Ｄの値を読み取ることができる。また、許容線１５Ｄを見ることにより、時刻Ｘ１における管理項目線Ｄの値が許容範囲に収まっているか否かを判断することができる。
【００４５】
上述した操作は、時間軸の時刻Ｘ１、Ｘ２、Ｘ３、Ｘ４・・・の任意の時刻で行うことができる。このため、所望の時刻Ｘ１、Ｘ２、Ｘ３、Ｘ４・・・で所望の管理項目線の値を短時間に確認することが可能になる。また、所望の時刻で透明なスケール１１を通して目盛１４を読むことができるので、値を見誤る虞がなくなり、管理項目線の値の確認を行う労力を大幅に低減することが可能になる。これにより、緊急時等であっても、所望の管理項目線の値を短時間で正確に確認することが可能になる。
【００４６】
従って、上述した運転記録シート２の確認用スケール機器１３は、時間軸に対して運転記録の項目である管理項目が連続して記録された運転記録シート２において、任意の時刻Ｘ１、Ｘ２、Ｘ３、Ｘ４・・・における管理項目の状況を短時間で正確に把握することが可能になる。
【００４７】
尚、上述した実施例では、一つの管理項目に対して一つのスケール１１を用いた例を挙げて説明したが、一つのスケール１１に複数の管理項目の目盛を表記し、運転記録シート２の幅と同程度のスケール１１とすることも可能である。この場合、一つのスケール１１により複数の（場合によっては全ての）管理項目の確認を行うことができる。
【産業上の利用可能性】
【００４８】
本発明は、例えば、発電プラントにおける運転記録シートを確認するための確認用スケール機器の産業分野で利用することができる。
【符号の説明】
【００４９】
１  記録手段
２  運転記録シート
３、４、１４  目盛
１１  スケール
１３  確認用スケール機器
１５Ａ、１５Ｂ、１５Ｃ  規制線
１５Ｄ  許容線
【図１】
0005436366.tif 000002
【図２】
0005436366.tif 000003
【図３】
0005436366.tif 000004
【図４】
0005436366.tif 000005
【図５】
0005436366.tif 000006